(57)【要約】【課題】  無線ＬＡＮ端末と無線ＬＡＮアクセスポイントとの接続設定を容易にするために無線ＬＡＮアクセスポイントの接続情報が可搬な媒体に格納されることによって紛失したり、盗難されたりする可能性が少なからずある。【解決手段】  所定の識別子を含む信号をブロードキャスト送信する無線通信手段と、無線ＬＡＮアクセスポイント装置と自装置との間に接続されたＵＳＢケーブルを通じて、前記識別子の送信に応じて前記無線ＬＡＮアクセスポイント装置から受信した無線ＬＡＮ接続情報を前記無線ＬＡＮアクセスポイント装置と自装置との間で無線ＬＡＮ通信の接続を行うために自装置に設定する制御手段とを備える。【選択図】      図７
2016100875.tif 000002
【特許請求の範囲】
【請求項１】
所定の識別子を含む信号をブロードキャスト送信する無線通信手段と、
無線ＬＡＮ（Local Area Network）アクセスポイント装置と自装置との間に接続されたＵＳＢ（Universal Serial Bus）ケーブルを通じて、前記識別子の送信に応じて前記無線ＬＡＮアクセスポイント装置から受信した無線ＬＡＮ接続情報を前記無線ＬＡＮアクセスポイント装置と自装置との間で無線ＬＡＮ通信の接続を行うために自装置に設定する制御手段と
を備えることを特徴とする無線ＬＡＮ端末装置。
【請求項２】
前記ＵＳＢケーブルを通じた通信はＵＳＢコントロール転送であることを特徴とする請求項１に記載の無線ＬＡＮ端末装置。
【請求項３】
所定の識別子を含む信号を受信すると、無線ＬＡＮ端末装置と自装置との間に接続されたＵＳＢケーブルを通じて、自装置に設定されている無線ＬＡＮ接続情報を前記無線ＬＡＮ端末装置に送信する送信手段と、
自装置が当該動作を行うことを表示する表示手段と
を備えることを特徴とする無線ＬＡＮアクセスポイント装置。
【請求項４】
前記ＵＳＢケーブルを通じた通信はＵＳＢコントロール転送であることを特徴とする請求項３に記載の無線ＬＡＮアクセスポイント装置。
【請求項５】
請求項１に記載の無線ＬＡＮ端末装置と、
前記無線ＬＡＮ端末装置と前記送受信を行う請求項３に記載の無線ＬＡＮアクセスポイント装置と
を備えることを特徴とする無線ＬＡＮシステム。
【請求項６】
所定の識別子を含む信号をブロードキャスト送信する無線通信工程と、
無線ＬＡＮアクセスポイント装置と無線ＬＡＮ端末装置との間に接続されたＵＳＢケーブルを通じて、前記識別子の送信に応じて前記無線ＬＡＮアクセスポイント装置から受信した無線ＬＡＮ接続情報を前記無線ＬＡＮアクセスポイント装置と前記無線ＬＡＮ端末装置との間で無線ＬＡＮ通信の接続を行うために前記無線ＬＡＮ端末装置に設定する制御工程と
を備えることを特徴とする無線ＬＡＮ端末装置の制御方法。
【請求項７】
前記ＵＳＢケーブルを通じた通信はＵＳＢコントロール転送であることを特徴とする請求項６に記載の無線ＬＡＮ端末装置の制御方法。
【請求項８】
所定の識別子を含む信号を受信すると、無線ＬＡＮ端末装置と無線ＬＡＮアクセスポイント装置との間に接続されたＵＳＢケーブルを通じて、前記無線ＬＡＮアクセスポイント装置に設定されている無線ＬＡＮ接続情報を前記無線ＬＡＮ端末装置に送信する送信工程と、
前記無線ＬＡＮアクセスポイント装置で当該動作が行われることを表示する表示工程と
を備えることを特徴とする無線ＬＡＮアクセスポイント装置の制御方法。
【請求項９】
前記ＵＳＢケーブルを通じた通信はＵＳＢコントロール転送であることを特徴とする請求項８に記載の無線ＬＡＮアクセスポイント装置の制御方法。
【請求項１０】
所定の識別子を含む信号をブロードキャスト送信する無線通信工程と、
前記識別子を含む信号を受信すると、無線ＬＡＮ端末装置と無線ＬＡＮアクセスポイント装置との間に接続されたＵＳＢケーブルを通じて、前記無線ＬＡＮアクセスポイント装置に設定されている無線ＬＡＮ接続情報を前記無線ＬＡＮ端末装置に送信する送信工程と、
前記ＵＳＢケーブルを通じて、前記無線ＬＡＮアクセスポイント装置から受信した無線ＬＡＮ接続情報を前記無線ＬＡＮアクセスポイント装置と前記無線ＬＡＮ端末装置との間で無線ＬＡＮ通信の接続を行うために前記無線ＬＡＮ端末装置に設定する制御工程と、
前記無線ＬＡＮアクセスポイント装置で当該動作が行われることを表示する表示工程と
を備えることを特徴とする無線ＬＡＮシステムの制御方法。
【発明の詳細な説明】
【技術分野】
【０００１】
本発明は、無線ＬＡＮアクセスポイント装置、無線ＬＡＮ端末装置、無線ＬＡＮシステムおよび制御方法に関する。
【背景技術】
【０００２】
無線ＬＡＮ（Local Area Network）アクセスポイントと無線ＬＡＮ端末を接続するにはＳＳＩＤ（Service Set Identifier）、暗号化方式、暗号化キーなどの接続情報を設定する必要があり、そのような接続情報を設定することは、特に初心者にとって、容易でない。
【０００３】
接続情報等の機器設定情報の設定を容易にする技術が特許文献１に記載されている。すなわち、特許文献１に記載の機器設定情報通知方法は、次の通りである。通信ネットワーク上で無線ＬＡＮ等のサービスを提供する第１の機器に可搬型のデータ媒体がユーザにより接続される。第１の機器はデータ媒体に機器設定情報を通知するためのプログラム、第１の機器のホスト名、及び暗号鍵などを格納する。次に、サービスを利用する第２の機器にデータ媒体がユーザにより接続される。第２の機器が第１の機器のホスト名から第１の機器のネットワークアドレスを特定した上で、通信ネットワークを介して、暗号鍵を用いて行われる暗号化通信により、第１の機器が第２の機器に機器設定情報を自動的に通知する。
【０００４】
特許文献１に記載の技術を用いれば、無線ＬＡＮアクセスポイントと無線ＬＡＮ端末とにデータ媒体を接続することにより容易に接続情報を設定することが可能となる。
【先行技術文献】
【特許文献】
【０００５】
【特許文献１】特開２００７−１３４８１９号公報
【発明の概要】
【発明が解決しようとする課題】
【０００６】
特許文献１に記載の技術を用いれば、無線ＬＡＮアクセスポイントと無線ＬＡＮ端末とにデータ媒体を接続することにより容易に接続情報を設定することが可能となる。ところが、機器設定情報を通知するためのプログラム、第１の機器のホスト名、及び暗号鍵などが格納されたデータ媒体は可搬なもので、ＵＳＢ（Universal Serial Bus）メモリ等の小型なものであることが多いため、紛失したり、盗難されたりすることが懸念される。もし、紛失すると、接続情報の設定が行えなくなるし、盗難により第三者に渡ると、その第三者の無線ＬＡＮ端末と無線ＬＡＮアクセスポイントとで接続情報の設定が可能となってしまう。つまり、無線ＬＡＮ端末と無線ＬＡＮアクセスポイントとの接続設定を容易にするために無線ＬＡＮアクセスポイントの接続情報が無線ＬＡＮ端末以外の小型の可搬な媒体に格納されることによって紛失したり、盗難されたりする可能性が少なからずあることが課題である。
【０００７】
本発明の目的は、この課題を解決する無線ＬＡＮアクセスポイント装置、無線ＬＡＮ端末装置、無線ＬＡＮシステムおよび制御方法を提供することである。
【課題を解決するための手段】
【０００８】
本発明の無線ＬＡＮ端末装置は、所定の識別子を含む信号をブロードキャスト送信する無線通信手段と、無線ＬＡＮアクセスポイント装置と自装置との間に接続されたＵＳＢケーブルを通じて、前記識別子の送信に応じて前記無線ＬＡＮアクセスポイント装置から受信した無線ＬＡＮ接続情報を前記無線ＬＡＮアクセスポイント装置と自装置との間で無線ＬＡＮ通信の接続を行うために自装置に設定する制御手段とを備えることを特徴とする。
【０００９】
本発明の無線ＬＡＮ端末装置の制御方法は、所定の識別子を含む信号をブロードキャスト送信する無線通信工程と、無線ＬＡＮアクセスポイント装置と無線ＬＡＮ端末装置との間に接続されたＵＳＢケーブルを通じて、前記識別子の送信に応じて前記無線ＬＡＮアクセスポイント装置から受信した無線ＬＡＮ接続情報を前記無線ＬＡＮアクセスポイント装置と前記無線ＬＡＮ端末装置との間で無線ＬＡＮ通信の接続を行うために前記無線ＬＡＮ端末装置に設定する制御工程とを備えることを特徴とする。
【発明の効果】
【００１０】
本発明によれば、無線ＬＡＮアクセスポイントの接続情報が無線ＬＡＮ端末以外の小型の可搬な媒体に格納されることによって紛失したり、盗難されたりすることなく、無線ＬＡＮ端末と無線ＬＡＮアクセスポイントとの接続設定を容易にすることが可能となる。
【図面の簡単な説明】
【００１１】
【図１】第１の実施形態における無線通信システムの構成例を示す図である。
【図２】第１の実施形態における無線通信システムの接続設定シーケンス例を示すシーケンス図である。
【図３】第１の実施形態におけるＭＡＣフレームを説明する図である。
【図４】第１の実施形態におけるＵＳＢコントロール転送を説明する図である。
【図５】第２の実施形態における無線通信システムの構成例を示す図である。
【図６】第２の実施形態における無線通信システムの接続設定シーケンス例を示すシーケンス図である。
【図７】第３の実施形態における無線ＬＡＮ端末装置の構成例を示すブロック図である。
【発明を実施するための形態】
【００１２】
本発明の第１の実施形態について、図面を参照して説明する。
【００１３】
図１に本実施形態における無線通信システムの構成例を示す。本無線通信システムは、無線ＬＡＮアクセスポイント１０、スマートフォン２０、ＵＳＢケーブル３０を含む。無線ＬＡＮアクセスポイント１０とスマートフォン２０とは通信を行う。
【００１４】
無線ＬＡＮアクセスポイント１０は、装置制御部１１、メモリ部１２、無線通信部１３、ＵＳＢホスト部１４を備える。
【００１５】
スマートフォン２０は、装置制御部２１、メモリ部２２、無線通信部２３、ＵＳＢファンクション部２４、入出力部２５を備える。
【００１６】
無線ＬＡＮアクセスポイント１０、スマートフォン２０の各部を説明する。
【００１７】
装置制御部１１、２１はそれぞれ無線ＬＡＮアクセスポイント１０、スマートフォン２０を制御する。
【００１８】
メモリ部１２、２２は、メモリであり、それぞれ本接続設定を実行するプログラム１２１、２２１や管理・制御のソフトウェアを記憶している。
【００１９】
無線通信部１３、２３は、本接続設定をもとに接続を行って、ＩＥＥＥ（The Institute of Electrical and Electronics Engineers, Inc.）８０２．１１に準拠した通信を行う。
【００２０】
ＵＳＢホスト部１４、ＵＳＢファンクション部２４は、ＵＳＢコントロール転送を行う。
【００２１】
入出力部２５は、ユーザの操作を受け付け、ユーザへの表示を行う。
【００２２】
ＵＳＢケーブル３０は、ＵＳＢホスト部１４とＵＳＢファンクション部２４とを接続する通信ケーブルである。
【００２３】
上述の構成例を踏まえ、本実施形態における無線通信システムの動作について、図２〜図４を参照して説明する。図２は本実施形態における無線通信システムの接続設定シーケンス例を示す。
【００２４】
まず、本接続設定方式をサポートする無線ＬＡＮアクセスポイント１０（複数可）およびスマートフォン２０（複数可）に本接続設定方式をサポートすることを示す識別子として例えばＩＤ１が割り当てられている。また、本接続設定方式をサポートする無線ＬＡＮアクセスポイント１０はスマートフォン２０のユーザに識別可能となっている。例えば、無線ＬＡＮアクセスポイント１０に本接続設定方式をサポートする旨の表示が行われている。
【００２５】
ここでは、無線ＬＡＮアクセスポイント１０が複数、スマートフォン２０が単数の場合について説明を行う。
【００２６】
ＵＳＢケーブル３０が無線ＬＡＮアクセスポイント１０のいずれかとスマートフォン２０とを接続していない状態で、ユーザによりスマートフォン２０の入出力部２５に所定の操作が行われる。その所定の操作の実行により、装置制御部２１がメモリ部２２に記憶されているプログラム２２１を起動する（Ｓ２１）。プログラム２２１の起動により、無線通信部２３が通信可能な範囲にある本接続設定方式をサポートする無線ＬＡＮアクセスポイント向けに所定のＭＡＣ（Media Access Control）フレームをブロードキャスト送信する（Ｓ２２）。そのＭＡＣフレームはＩＤ１を通知するためのもので、そのＳＳＩＤ領域にはＩＤ１が記載され、そのフレームには送信元ＭＡＣアドレスも記載されている（図３参照）。
【００２７】
無線ＬＡＮアクセスポイント１０において無線通信部１３がそのＭＡＣフレームを受信する（Ｓ２３）。装置制御部１１が受信されたＭＡＣフレームのＳＳＩＤ領域にＩＤ１が記載されていることを確認して、そのＭＡＣフレームの送信元であるスマートフォン２０が本接続設定方式をサポートしており、自装置と接続を行おうとしていると判断する。その判断により、ＵＳＢホスト部１４がＵＳＢコントロール転送（詳細後述）の準備を行う。
【００２８】
スマートフォン２０において入出力部２５がユーザに向けＵＳＢケーブル３０で無線ＬＡＮアクセスポイント１０の内の一つとスマートフォン２０とを接続することを促す表示等を行う（Ｓ２４）。その表示等で、ユーザによりＵＳＢケーブル３０で無線ＬＡＮアクセスポイント１０の内の一つのＵＳＢホスト部１４とスマートフォン２０のＵＳＢファンクション部２５とが接続される（Ｓ２５）。その接続が行われると、ＵＳＢファンクション部２５がＳ２２で送信されたＭＡＣフレームのＭＡＣアドレスをＵＳＢホスト部１４に送信する（Ｓ２６）。
【００２９】
ＵＳＢホスト部１４は受信したＭＡＣアドレスをもとにＵＳＢファンクション部２５と接続されたことを確認する。次に、ＵＳＢホスト部１４はＵＳＢコントロール転送フレームのデータフィールドにＳＳＩＤ、暗号化キーなどの無線ＬＡＮアクセスポイントの接続情報を記載して（図４参照）、そのＵＳＢコントロール転送フレームを送信する（Ｓ２７）。その接続情報は無線ＬＡＮアクセスポイント１０に設定されているものである。なお、無線通信部１３における所定ＭＡＣフレームの受信後、所定時間、ＵＳＢケーブル接続がない場合、処理は終了する。
【００３０】
ＵＳＢファンクション部２５がそのコントロール転送フレームを受信すると、装置制御部２１が受信されたＵＳＢコントロール転送フレームのデータフィールドに記載されているＳＳＩＤ、暗号化キーなどの接続情報をメモリ部２２に設定する（Ｓ２８）。その接続情報を用いて、スマートフォン２０は無線ＬＡＮアクセスポイント１０と例えばアクティブスキャン方式で無線通信部１３、２３を通じて無線ＬＡＮ接続を行う（Ｓ２９）。
【００３１】
なお、上記の所定ＭＡＣフレームを本接続方式をサポートしない無線ＬＡＮアクセスポイントが受信した場合、そのＭＡＣフレームは破棄される。また、上記のＵＳＢコントロール転送は、ＵＳＢ規格で定められているフレームのｂｍＲｅｑｕｅｓｔＴｙｐｅのＤ４−Ｄ０の値を１００００ｂと設定して、Ｅｎｕｍｅｒａｔｉｏｎ処理を行わないようになっている。一般的に、ＵＳＢホストとＵＳＢファンクションとが接続された直後に行われるディスクリプタの取得、アドレスの設定などのＥｎｕｍｅｒａｔｉｏｎ処理が行われる。上記のＵＳＢコントロール転送では、Ｅｎｕｍｅｒａｔｉｏｎ処理が行われないため、ＵＳＢホスト１４とＵＳＢファンクション２５との接続から通信開始までに要する時間が短くなる。
【００３２】
以上のように、スマートフォンが本接続設定方式をサポートすることを示す識別子を送信し、その識別子を受信した無線ＬＡＮアクセスポイントが自身に設定されている接続情報をＵＳＢケーブル経由でその識別子を送信したスマートフォンに送信する。そのスマートフォンは受信した接続情報を用いて、その無線ＬＡＮアクセスポイントと接続を行う。
【００３３】
つまり、接続情報はＵＳＢケーブル経由で無線ＬＡＮアクセスポイントから無線ＬＡＮ端末に送信される。これにより、無線ＬＡＮアクセスポイントの接続情報が無線ＬＡＮ端末以外の小型の可搬な媒体に格納されることによって紛失したり、盗難されたりすることなく、無線ＬＡＮ端末と無線ＬＡＮアクセスポイントとの接続設定を容易にすることが可能となる。
【００３４】
本発明の第２の実施形態について、図面を参照して説明する。
【００３５】
第１の実施形態において、ＵＳＢケーブル３０を無線ＬＡＮアクセスポイント１０やスマートフォン２０に抜き差しする作業があり、その作業はユーザに少なからず負担となることが懸念される。本実施形態では、そのような負担を軽減するため、第１の実施形態におけるＵＳＢケーブルによる通信の代わりに、ＬＴＥ通信が行えるようになっている。また、無線ＬＡＮアクセスポイントに貼り付けられていて、本接続設定方式をサポートすることを示す識別子がコード化されたＱＲ（Quick Response）コード（登録商標）をスマートフォンに備えられたカメラで読み込めるようになっている。そのため、本実施形態は、第１の実施形態に対して、ＵＳＢホスト部１４、ＵＳＢファンクション部２４がそれぞれＬＴＥ通信部に置き換わり、スマートフォンにカメラ部が備わったものとなっている。
【００３６】
図５に本実施形態における無線通信システムの構成例を示す。本無線通信システムは、無線ＬＡＮアクセスポイント４０、スマートフォン５０を含む。
【００３７】
無線ＬＡＮアクセスポイント４０は、装置制御部４１、メモリ部４２、無線通信部４３、ＬＴＥ（Long Term Evolution）通信部４４を備える。
【００３８】
スマートフォン５０は、装置制御部５１、メモリ部５２、無線通信部５３、ＬＴＥ通信部５４、入出力部５５、カメラ部５６を備える。
【００３９】
無線ＬＡＮアクセスポイント４０、スマートフォン５０の各部を説明する。
【００４０】
装置制御部４１、５１はそれぞれ無線ＬＡＮアクセスポイント４０、スマートフォン５０を制御する。
【００４１】
メモリ部４２、５２は、メモリであり、それぞれ本接続設定を実行するプログラム４２１、５２１や管理・制御のソフトウェアを記憶している。
【００４２】
無線通信部４３、５３は、本接続設定をもとに接続を行って、ＩＥＥＥ８０２．１１に準拠した通信を行う。
【００４３】
ＬＴＥ通信部４４、ＬＴＥ通信部５４は、ＬＴＥ通信を行う。
【００４４】
入出力部５５は、ユーザの操作を受け付け、ユーザへの表示を行う。
【００４５】
カメラ部５６は、ＱＲコード（登録商標）を読み込む。
【００４６】
上述の構成例を踏まえ、本実施形態における無線通信システムの動作について、図６を参照して説明する。図６は本実施形態における無線通信システムの接続設定シーケンス例を示す。
【００４７】
まず、本接続設定方式をサポートする無線ＬＡＮアクセスポイント４０（複数可）に本接続設定方式をサポートすることを示す識別子として例えばＩＤ２が割り当てられている。無線ＬＡＮアクセスポイント４０にはＱＲコードのラベルが貼付されており、そのＱＲコードにはＩＤ２がコード化されている。また、本接続設定方式をサポートする無線ＬＡＮアクセスポイント４０はスマートフォン５０のユーザに識別可能となっている。例えば、無線ＬＡＮアクセスポイント４０に本接続設定方式をサポートする旨の表示が行われている。
【００４８】
ここでは、無線ＬＡＮアクセスポイント４０が複数、スマートフォン５０が単数の場合について説明を行う。
【００４９】
ユーザによりスマートフォン５０の入出力部５５に所定の操作が行われる。その所定の操作の実行により、装置制御部５１がメモリ５２に記憶されているプログラム５２１を起動する（Ｓ６１）。プログラム５２１の起動により、入出力部５５がユーザに向け無線ＬＡＮアクセスポイント４０のＱＲコード（図示せず）を読み込むことを促す表示等を行う（Ｓ６２）。その表示等で、ユーザによりそのＱＲコードがスマートフォン５０のカメラ部５６で読み込まれる（Ｓ６３）。そのＱＲコードには識別子としてＩＤ２がコード化されている。装置制御部５１が読み込まれたＱＲコードのデータであるＩＤ２とＬＴＥ通信部５４のＩＰアドレスをＭＡＣフレームのＳＳＩＤ領域に記載する。次に、ＬＴＥ通信部５４が本接続設定方式をサポートする無線ＬＡＮアクセスポイント向けにそのＭＡＣフレームをブロードキャスト送信する（Ｓ６４）。
【００５０】
無線ＬＡＮアクセスポイント４０においてＬＴＥ通信部４４がそのＭＡＣフレームを受信する（Ｓ６５）。装置制御部４１が受信されたＭＡＣフレームのＳＳＩＤ領域にＩＤ２が記載されていることを確認して、そのＭＡＣフレームの送信元であるスマートフォン５０が本接続設定方式をサポートしており、無線ＬＡＮアクセスポイント４０と接続を行おうとしていると判断する。装置制御部４１はＩＰパケットのデータフィールドにＳＳＩＤ、暗号化キーなどの無線ＬＡＮアクセスポイントの接続情報を記載して、ＬＴＥ通信部４４がそのＭＡＣフレームの送信元のＩＰアドレス宛にＩＰパケットを送信する（Ｓ６６）。
【００５１】
スマートフォン５０においてＬＴＥ通信部５４がＩＰパケットを受信する。装置制御部５１はＩＰパケットのデータフィールドからＳＳＩＤ、暗号化キーなどの接続情報を抽出し、メモリ５２に設定する（Ｓ６７）。その接続情報を用いて、スマートフォン５０は無線ＬＡＮアクセスポイント４０とアクティブスキャン方式で無線ＬＡＮ接続を行う（Ｓ６８）。
【００５２】
なお、第三者が上記のＱＲコードを読み込んだとしても、スマートフォン５０におけるＩＤ２の処理方法は外部から分からない。また、特許文献１に記載の機器設定情報通知方法では、ユーザが可搬型のデータ媒体を第１、第２の機器に接続しており、第１の実施形態では、ユーザがＵＳＢケーブルを無線ＬＡＮアクセスポイント、スマートフォンに接続している。しかし、本実施形態では、そのような接続作業は行われない。
【００５３】
以上のように、スマートフォンが本接続設定方式をサポートすることを示す識別子を送信し、その識別子を受信した無線ＬＡＮアクセスポイントが自身に設定されている接続情報をＬＴＥ通信でその識別子を送信したスマートフォンに送信する。そのスマートフォンは受信した接続情報を用いて、その無線ＬＡＮアクセスポイントと接続を行う。
【００５４】
つまり、接続情報はＬＴＥ通信で無線ＬＡＮアクセスポイントから無線ＬＡＮ端末に送信される。これにより、ユーザに負担となる、ＵＳＢケーブルを無線ＬＡＮアクセスポイントやスマートフォンに抜き差しする作業を行わずに済み、ユーザの負担を軽減することが可能となる。また、無線ＬＡＮアクセスポイントの接続情報が無線ＬＡＮ端末以外の小型の可搬な媒体に格納されることによって紛失したり、盗難されたりすることなく、無線ＬＡＮ端末と無線ＬＡＮアクセスポイントとの接続設定を容易にすることが可能となる。
【００５５】
なお、第１の実施形態においてＵＳＢコントロール転送の代わりに第２の実施形態におけるＬＴＥ通信を用いてもよい。
【００５６】
次に、本発明の第３の実施形態について、図面を参照して説明する。
【００５７】
図７は本実施形態における無線ＬＡＮ端末装置の構成例を示す。
【００５８】
無線ＬＡＮ端末装置６０は、無線通信部６１、制御部６２を備える。
【００５９】
無線ＬＡＮ端末装置６０の各部を説明する。
【００６０】
無線通信部６１は、所定の識別子を含む信号をブロードキャスト送信する。
【００６１】
制御部６２は、受信した無線ＬＡＮ接続情報を無線ＬＡＮ通信の接続を行うために自装置に設定する。
【００６２】
上述の構成例を踏まえ、本実施形態における無線ＬＡＮ端末装置６０の動作例について、図７を参照して説明する。
【００６３】
ユーザにより無線ＬＡＮ端末装置６０に所定の操作が行われる。その所定の操作の実行により、無線通信部６１が所定の識別子を含む信号をブロードキャスト送信する。次に、無線ＬＡＮアクセスポイント装置と無線ＬＡＮ端末装置６０とがＵＳＢケーブルで接続される。次に、制御部６２がその識別子の送信に応じて無線ＬＡＮアクセスポイント装置からそのＵＳＢケーブル経由で受信した無線ＬＡＮ接続情報を無線ＬＡＮ接続を行うために無線ＬＡＮ端末装置６０に設定する。
【００６４】
その無線ＬＡＮ接続情報を用いて、無線ＬＡＮ端末装置６０は無線ＬＡＮアクセスポイント装置と例えばアクティブスキャン方式で無線通信部６１を通じて無線ＬＡＮ接続を行う。
【００６５】
以上のように、無線ＬＡＮ端末装置が所定の識別子を送信し、その識別子を受信した無線ＬＡＮアクセスポイント装置が自身に設定されている接続情報をＵＳＢケーブル経由でその識別子を送信した無線ＬＡＮ端末装置に送信する。その無線ＬＡＮ端末装置は受信した接続情報を用いて、その無線ＬＡＮアクセスポイント装置と接続を行う。
【００６６】
つまり、接続情報はＵＳＢケーブル経由で無線ＬＡＮアクセスポイントから無線ＬＡＮ端末に送信される。これにより、無線ＬＡＮアクセスポイントの接続情報が無線ＬＡＮ端末以外の小型の可搬な媒体に格納されることによって紛失したり、盗難されたりすることなく、無線ＬＡＮ端末と無線ＬＡＮアクセスポイントとの接続設定を容易にすることが可能となる。
【００６７】
上記の実施の形態の一部または全部は、以下の付記のようにも記載されうるが、以下には限られない。
（付記１）所定の識別子を含む信号をブロードキャスト送信する無線通信手段と、無線ＬＡＮアクセスポイント装置と自装置との間に接続されたＵＳＢケーブルを通じて、前記識別子の送信に応じて前記無線ＬＡＮアクセスポイント装置から受信した無線ＬＡＮ接続情報を前記無線ＬＡＮアクセスポイント装置と自装置との間で無線ＬＡＮ通信の接続を行うために自装置に設定する制御手段とを備えることを特徴とする無線ＬＡＮ端末装置。
（付記２）前記ＵＳＢケーブルを通じた通信はＵＳＢコントロール転送であることを特徴とする付記１に記載の無線ＬＡＮ端末装置。
（付記３）所定の識別子を含む信号を受信すると、無線ＬＡＮ端末装置と自装置との間に接続されたＵＳＢケーブルを通じて、自装置に設定されている無線ＬＡＮ接続情報を前記無線ＬＡＮ端末装置に送信する送信手段と自装置が当該動作を行うことを表示する表示手段とを備えることを特徴とする無線ＬＡＮアクセスポイント装置。
（付記４）前記ＵＳＢケーブルを通じた通信はＵＳＢコントロール転送であることを特徴とする付記３に記載の無線ＬＡＮアクセスポイント装置。
（付記５）付記１に記載の無線ＬＡＮ端末装置と、前記無線ＬＡＮ端末装置と前記送受信を行う付記３に記載の無線ＬＡＮアクセスポイント装置とを備えることを特徴とする無線ＬＡＮシステム。
（付記６）所定の識別子を含む信号をブロードキャスト送信する無線通信工程と、無線ＬＡＮアクセスポイント装置と無線ＬＡＮ端末装置との間に接続されたＵＳＢケーブルを通じて、前記識別子の送信に応じて前記無線ＬＡＮアクセスポイント装置から受信した無線ＬＡＮ接続情報を前記無線ＬＡＮアクセスポイント装置と前記無線ＬＡＮ端末装置との間で無線ＬＡＮ通信の接続を行うために前記無線ＬＡＮ端末装置に設定する制御工程とを備えることを特徴とする無線ＬＡＮ端末装置の制御方法。
（付記７）前記ＵＳＢケーブルを通じた通信はＵＳＢコントロール転送であることを特徴とする付記６に記載の無線ＬＡＮ端末装置の制御方法。
（付記８）所定の識別子を含む信号を受信すると、無線ＬＡＮ端末装置と無線ＬＡＮアクセスポイント装置との間に接続されたＵＳＢケーブルを通じて、前記無線ＬＡＮアクセスポイント装置に設定されている無線ＬＡＮ接続情報を前記無線ＬＡＮ端末装置に送信する送信工程と、前記無線ＬＡＮアクセスポイント装置で当該動作が行われることを表示する表示工程とを備えることを特徴とする無線ＬＡＮアクセスポイント装置の制御方法。
（付記９）前記ＵＳＢケーブルを通じた通信はＵＳＢコントロール転送であることを特徴とする付記８に記載の無線ＬＡＮアクセスポイント装置の制御方法。
（付記１０）所定の識別子を含む信号をブロードキャスト送信する無線通信工程と、前記識別子を含む信号を受信すると、無線ＬＡＮ端末装置と無線ＬＡＮアクセスポイント装置との間に接続されたＵＳＢケーブルを通じて、前記無線ＬＡＮアクセスポイント装置に設定されている無線ＬＡＮ接続情報を前記無線ＬＡＮ端末装置に送信する送信工程と、前記ＵＳＢケーブルを通じて、前記無線ＬＡＮアクセスポイント装置から受信した無線ＬＡＮ接続情報を前記無線ＬＡＮアクセスポイント装置と前記無線ＬＡＮ端末装置との間で無線ＬＡＮ通信の接続を行うために前記無線ＬＡＮ端末装置に設定する制御工程と、前記無線ＬＡＮアクセスポイント装置で当該動作が行われることを表示する表示工程とを備えることを特徴とする無線ＬＡＮシステムの制御方法。
（付記１１）所定の識別子を含む信号をブロードキャスト送信するＬＴＥ通信手段と、前記識別子の送信に応じて無線ＬＡＮアクセスポイント装置からＬＴＥ通信で受信した無線ＬＡＮ接続情報を前記無線ＬＡＮアクセスポイント装置と自装置との間で無線ＬＡＮ通信の接続を行うために自装置に設定する制御手段とを備えることを特徴とする無線ＬＡＮ端末装置。
（付記１２）所定の識別子を含む信号を受信すると、自装置に設定されている無線ＬＡＮ接続情報をＬＴＥ通信で無線ＬＡＮ端末装置に送信することを特徴とする無線ＬＡＮアクセスポイント装置。
（付記１３）付記１１に記載の無線ＬＡＮ端末装置と、前記無線ＬＡＮ端末装置と前記送受信を行う付記１２に記載の無線ＬＡＮアクセスポイント装置とを備えることを特徴とする無線ＬＡＮシステム。
（付記１４）所定の識別子を含む信号をブロードキャスト送信するＬＴＥ通信工程と、前記識別子の送信に応じて無線ＬＡＮアクセスポイント装置からＬＴＥ通信で受信した無線ＬＡＮ接続情報を前記無線ＬＡＮアクセスポイント装置と無線ＬＡＮ端末装置との間で無線ＬＡＮ通信の接続を行うために前記無線ＬＡＮ端末装置に設定する制御工程とを備えることを特徴とする無線ＬＡＮ端末装置の制御方法。
（付記１５）所定の識別子を含む信号を受信すると、無線ＬＡＮアクセスポイント装置に設定されている無線ＬＡＮ接続情報をＬＴＥ通信で無線ＬＡＮ端末装置に送信することを特徴とする無線ＬＡＮアクセスポイント装置の制御方法。
（付記１６）所定の識別子を含む信号をブロードキャスト送信するＬＴＥ通信工程と、前記識別子を含む信号を受信すると、無線ＬＡＮアクセスポイント装置に設定されている無線ＬＡＮ接続情報をＬＴＥ通信で無線ＬＡＮ端末装置に送信する送信工程と、前記無線ＬＡＮアクセスポイント装置からＬＴＥ通信で受信した前記無線ＬＡＮ接続情報を前記無線ＬＡＮアクセスポイント装置と前記無線ＬＡＮ端末装置との間で無線ＬＡＮ通信の接続を行うために前記無線ＬＡＮ端末装置に設定する制御工程とを備えることを特徴とする無線ＬＡＮシステムの制御方法。
【産業上の利用可能性】
【００６８】
本発明は、無線ＬＡＮアクセスポイント装置、無線ＬＡＮ端末装置、無線ＬＡＮシステムおよび制御方法に利用可能である。
【符号の説明】
【００６９】
１０、４０    無線ＬＡＮアクセスポイント
１１、２１、４１、５１    装置制御部
１２、２２、４２、５２    メモリ部
１３、２３、４３、５３    無線通信部
１４    ＵＳＢホスト部
２０、５０    スマートフォン
２４    ＵＳＢファンクション部
２５、５５    入出力部
３０    ＵＳＢケーブル
４４、５４    ＬＴＥ通信部
５６    カメラ部
６０    無線ＬＡＮ端末装置
６１    無線通信部
６２    制御部
１２１、２２１、４２１、５２１    プログラム
【図１】
2016100875.tif 000003
【図２】
2016100875.tif 000004
【図３】
2016100875.tif 000005
【図４】
2016100875.tif 000006
【図５】
2016100875.tif 000007
【図６】
2016100875.tif 000008
【図７】
2016100875.tif 000009